【手続補正書】
【提出日】平成17年9月16日(2005.9.16)
【手続補正１】
【補正対象書類名】明細書
【補正対象項目名】特許請求の範囲
【補正方法】変更
【補正の内容】
【特許請求の範囲】
【請求項１】  シートを収容するために上下方向に多段に設けられた複数のシート収容手段と、
前記複数のシート収容手段に収容された夫々のシートを給送するための複数のシート給送手段と、
前記複数のシート給送手段によって給送された夫々のシートを搬送するための複数の搬送路と、
前記複数の搬送路が合流する主搬送路と、
を備え、
前記複数のシート収容手段の少なくとも一つに収容されたシートの給送方向が、他のシート収容手段に収容されたシートの給送方向と逆方向であり、
前記複数のシート収容手段の少なくとも一つに収容されたシートを搬送する前記複数の搬送路のうちの少なくとも一つの搬送路が前記主搬送路に合流するときのシートの搬送方向と、前記他のシート収容手段に収容されたシートを搬送する前記複数の搬送路のうちの他の搬送路が前記主搬送路に合流するときのシートの搬送方向と、が同一の方向であることを特徴とするシート給送装置。
【請求項２】  前記複数のシート収容手段の間に前記主搬送路を設けることを特徴とする請求項１に記載のシート給送装置。
【請求項３】  シートを収容するためのシート収容手段と、
前記シート収容手段に収容されたシートを給送するために前記シート収容手段の左右に設けられた２つのシート給送手段と、
前記２つのシート給送手段によって給送される夫々のシートを搬送するための２つの搬送路と、
前記２つの搬送路が合流する主搬送路と、
を備え、
前記シート収容手段から前記２つのシート給送手段によって給送されるそれぞれのシートの給送方向が逆方向であり、
前記２つのシート給送手段のうちの一方のシート給送手段によって給送されたシートが搬送される前記２つの搬送路のうちの一方の搬送路が前記主搬送路に合流するときのシートの搬送方向と、前記２つのシート給送手段のうちの他方のシート給送手段によって給送されたシートが搬送される前記２つの搬送路のうちの他方の搬送路が前記主搬送路に合流するときのシートの搬送方向と、が同一の方向であることを特徴とするシート給送装置。
【請求項４】  前記２つのシート給送手段によって給送されるシートの給送方向と、前記主搬送路によって搬送されるシートの搬送方向とが平行であることを特徴とする請求項３に記載のシート給送装置。
【請求項５】  シートを収容するためのシート収容手段と、
前記シート収容手段から給送されたシートを搬送するための主搬送路と、
前記シート収容手段から給送されたシートを前記主搬送路において選択的にフェイスアップ又はフェイスダウンで搬送することを特徴とするシート給送装置。
【請求項６】  前記主搬送路が、シートを表裏反転するためのシート反転手段を備えることを特徴とする請求項１乃至５のいずれか１項に記載のシート給送装置。
【請求項７】  前記主搬送路は、画像形成装置から送られてくるシートを受け取るシート導入部と、シートに後処理を行うためのシート後処理装置へシートを排出するシート排出部と、を備えることを特徴とする請求項１乃至６のいずれか１項に記載のシート給送装置。
【請求項８】  画像形成装置から送られてくる複数のシートの間に、前記シート給送手段により前記シート収容手段からシートを給送して挿入することを特徴とする請求項１乃至７のいずれか１項に記載のシート給送装置。
【請求項９】  請求項１乃至８のいずれか１項に記載のシート給送装置と、
前記シート給送装置から排出されたシートに後処理を行うシート後処理装置と、を備えることを特徴とするシート後処理システム。
【請求項１０】  請求項５に記載のシート給送装置と、
前記シート給送装置から排出されたシートに後処理を行うシート後処理装置と、を備え、
前記シート後処理装置に設定された後処理モードに応じて、前記主搬送路において選択的にフェイスアップ又はフェイスダウンで搬送することを特徴とするシート後処理システム。
【請求項１１】  シートに画像を形成する画像形成装置と、
前記画像形成装置によって画像が形成された複数のシートの間にシートを挿入するための請求項１乃至８のいずれか１項に記載のシート給送装置と、
前記画像形成装置のシート搬送方向の下流側に設けられ、前記画像形成装置によって画像が形成されたシートもしくは前記シート給送装置により給送されたシートに後処理を行うシート後処理装置と、
を備えることを特徴とする画像形成システム。
【請求項１２】  シートに画像を形成する画像形成装置と、
前記画像形成装置によって画像が形成された複数のシートの間にシートを挿入するためにシートを給送する請求項５に記載のシート給送装置と、
前記画像形成装置のシート搬送方向の下流側に設けられ、前記画像形成装置によって画像が形成されたシートもしくは前記シート給送装置により給送されたシートに後処理を行うシート後処理装置と、
前記シート後処理装置に設定された後処理モードに応じて、前記主搬送路においてフェイスアップで搬送するかフェイスダウンで搬送するかを選択する制御手段と、
を備えることを特徴とする画像形成システム。
【請求項１３】  前記シート給送装置が前記画像形成装置又は前記シート後処理装置に対して着脱可能であることを特徴とする請求項１１又は１２に記載の画像形成システム。
【請求項１４】  前記シート給送装置と前記シート後処理装置との間に、シートの表裏を反転するためのシート反転装置を設けることを特徴とする請求項１１乃至１３のいずれか１項に記載の画像形成システム。
【請求項１５】  シートに画像を形成するための画像形成装置と、
シートを収容するための複数のシート収容手段と、前記複数のシート収容手段に収容された夫々のシートを給送するための複数のシート給送手段と、前記複数のシート給送手段によって給送された夫々のシートを搬送するための複数の搬送路と、前記複数の搬送路が合流する主搬送路と、を備え、前記複数のシート収容手段の少なくとも一つに収容されたシートの給送方向が、他のシート収容手段に収容されたシートの給送方向と逆方向であり、前記複数のシート収容手段の少なくとも一つに収容されたシートを搬送する前記複数の搬送路のうちの少なくとも一つの搬送路が前記主搬送路に合流するときのシートの搬送方向と、前記他のシート収容手段に収容されたシートを搬送する前記複数の搬送路のうちの他の搬送路が前記主搬送路に合流するときのシートの搬送方向と、が同一の方向であり、前記画像形成装置によって画像が形成された複数のシートの間にシートを挿入するためのシート給送装置と、
前記画像形成装置によって画像が形成されたシートと前記シート給送装置の主搬送路を経たシートに後処理を行うシート後処理装置と、
前記シート後処理装置に設定された後処理モードが、前記シート後処理装置にシートをフェイスアップで搬送する後処理モードか、前記シート後処理装置にシートをフェイスダウンで搬送する後処理モードかに応じて、前記複数のシート収容手段のうちのいずれのシート収容手段からシートを給送するか、を選択する制御手段と、
を備えたことを特徴とする画像形成システム。
【請求項１６】 シートに画像を形成するための画像形成装置と、
シートを収容するための複数のシート収容手段と、前記複数のシート収容手段に収容された夫々のシートを給送するための複数のシート給送手段と、前記複数のシート給送手段によって給送された夫々のシートを搬送するための複数の搬送路と、前記複数の搬送路が合流する主搬送路と、を備え、前記複数のシート収容手段の少なくとも一つに収容されたシートの給送方向が、他のシート収容手段に収容されたシートの給送方向と逆方向であり、前記複数のシート収容手段の少なくとも一つに収容されたシートを搬送する前記複数の搬送路のうちの少なくとも一つの搬送路が前記主搬送路に合流するときのシートの搬送方向と、前記他のシート収容手段に収容されたシートを搬送する前記複数の搬送路のうちの他の搬送路が前記主搬送路に合流するときのシートの搬送方向と、が同一の方向であり、前記画像形成装置によって画像が形成された複数のシートの間にシートを挿入するためのシート給送装置と、
前記画像形成装置によって画像が形成されたシートと前記シート給送装置の主搬送路を経たシートに後処理を行うシート後処理装置と、
前記シート後処理装置に設定された後処理モードに応じて、前記主搬送路を経たシートが反転なしで前記シート後処理装置で後処理を行なえるように前記複数のシート収容手段のうちのいずれのシート収容手段からシートを給送するか、を選択する制御手段と、
を備えたことを特徴とする画像形成システム。
【請求項１７】  シートに画像を形成するための画像形成装置と、
シートを収容するためのシート収容手段と、前記シート収容手段に収容されたシートを給送するために前記シート収容手段の左右に設けられた２つのシート給送手段と、前記２つのシート給送手段によって給送される夫々のシートを搬送するための２つの搬送路と、前記２つの搬送路が合流する主搬送路と、を備え、前記シート収容手段から前記２つのシート給送手段によって給送されるそれぞれのシートの給送方向が逆方向であり、前記２つのシート給送手段のうちの一方のシート給送手段によって給送されたシートが搬送される前記２つの搬送路のうちの一方の搬送路が前記主搬送路に合流するときのシートの搬送方向と、前記２つのシート給送手段のうちの他方のシート給送手段によって給送されたシートが搬送される前記２つの搬送路のうちの他方の搬送路が前記主搬送路に合流するときのシートの搬送方向と、が同一の方向であり、前記画像形成装置によって画像が形成された複数のシートの間にシートを挿入するためのシート給送装置と、
前記画像形成装置によって画像が形成されたシートと前記シート給送装置の主搬送路を経たシートに後処理を行うシート後処理装置と、
前記シート後処理装置に設定された後処理モードが、前記シート後処理装置にシートをフェイスアップで搬送する後処理モードか、前記シート後処理装置にシートをフェイスダウンで搬送する後処理モードかに応じて、前記２つのシート給送手段のいずれによって前記シート収容手段からシートを給送するかを選択する制御手段と、
を備えたことを特徴とする画像形成システム。
【請求項１８】 シートに画像を形成するための画像形成装置と、
シートを収容するためのシート収容手段と、前記シート収容手段に収容されたシートを給送するために前記シート収容手段の左右に設けられた２つのシート給送手段と、前記２つのシート給送手段によって給送される夫々のシートを搬送するための２つの搬送路と、前記２つの搬送路が合流する主搬送路と、を備え、前記シート収容手段から前記２つのシート給送手段によって給送されるそれぞれのシートの給送方向が逆方向であり、前記２つのシート給送手段のうちの一方のシート給送手段によって給送されたシートが搬送される前記２つの搬送路のうちの一方の搬送路が前記主搬送路に合流するときのシートの搬送方向と、前記２つのシート給送手段のうちの他方のシート給送手段によって給送されたシートが搬送される前記２つの搬送路のうちの他方の搬送路が前記主搬送路に合流するときのシートの搬送方向と、が同一の方向であり、前記画像形成装置によって画像が形成された複数のシートの間にシートを挿入するためのシート給送装置と、
前記画像形成装置によって画像が形成されたシートと前記シート給送装置の主搬送路を経たシートに後処理を行うシート後処理装置と、
前記シート後処理装置に設定された後処理モードに応じて、前記主搬送路を経たシートが反転なしで前記シート後処理装置において後処理を行なえるように前記２つのシート給送手段のいずれによって前記シート収容手段からシートを給送するかを選択する制御手段と、
を備えたことを特徴とする画像形成システム。
【手続補正２】
【補正対象書類名】明細書
【補正対象項目名】０００７
【補正方法】変更
【補正の内容】
【０００７】
【課題を解決するための手段】
上記目的を達成するための本発明の代表的な構成は、シートを収容するために上下方向に多段に設けられた複数のシート収容手段と、前記複数のシート収容手段に収容された夫々のシートを給送するための複数のシート給送手段と、前記複数のシート給送手段によって給送された夫々のシートを搬送するための複数の搬送路と、前記複数の搬送路が合流する主搬送路と、を備え、前記複数のシート収容手段の少なくとも一つに収容されたシートの給送方向が、他のシート収容手段に収容されたシートの給送方向と逆方向であり、前記複数のシート収容手段の少なくとも一つに収容されたシートを搬送する前記複数の搬送路のうちの少なくとも一つの搬送路が前記主搬送路に合流するときのシートの搬送方向と、前記他のシート収容手段に収容されたシートを搬送する前記複数の搬送路のうちの他の搬送路が前記主搬送路に合流するときのシートの搬送方向と、が同一の方向であるシート給送装置。
【手続補正３】
【補正対象書類名】明細書
【補正対象項目名】０００８
【補正方法】変更
【補正の内容】
【０００８】
また、シートを収容するためのシート収容手段と、前記シート収容手段に収容されたシートを給送するために前記シート収容手段の左右に設けられた２つのシート給送手段と、前記２つのシート給送手段によって給送される夫々のシートを搬送するための２つの搬送路と、前記２つの搬送路が合流する主搬送路と、を備え、前記シート収容手段から前記２つのシート給送手段によって給送されるそれぞれのシートの給送方向が逆方向であり、前記２つのシート給送手段のうちの一方のシート給送手段によって給送されたシートが搬送される前記２つの搬送路のうちの一方の搬送路が前記主搬送路に合流するときのシートの搬送方向と、前記２つのシート給送手段のうちの他方のシート給送手段によって給送されたシートが搬送される前記２つの搬送路のうちの他方の搬送路が前記主搬送路に合流するときのシートの搬送方向と、が同一の方向であるシート給送装置。